(57)【要約】本発明は、特に自動車に設けられたディスプレイ装置であって、光源（１）によって照明可能なディスプレイ（２）と、該ディスプレイ（２）と光源（１）との間に配置されたライトガイド（７）とが設けられており、光源（１）が複数の個別光源（１０）を有しており、これらの個別光源の光を放射する総面積が、ディスプレイ（２）の面積よりも大きい形式のものに関する。発光効率を高めるために本発明は、ライトガイド（７）が光源側に、個別光源（１０）に対応配置された個別ライトガイド区分（１２）を有しており、これらの個別ライトガイド区分がディスプレイ側で１つの共通のライトガイド区分（１３）に移行するということを提案している。
2005505796.tif 000002
【特許請求の範囲】
【請求項１】
特に自動車に設けられたディスプレイ装置であって、光源（１）によって照明可能なディスプレイ（２）と、該ディスプレイ（２）と光源（１）との間に配置されたライトガイド（７，５７）とが設けられており、光源（１）が複数の個別光源（１０，６０）を有しており、これらの個別光源の光を放射する総面積が、ディスプレイ（２）の面積よりも大きい形式のものにおいて、
ライトガイド（７）が光源側に、個別光源（１０）に対応配置された、ディスプレイ側で１つの共通のライトガイド区分（１３）に移行する複数の個別ライトガイド区分（１２）を有しているか、又はライトガイド（５７）が、光源（１）に面した入射側（７１）とディスプレイ（２）に面した出射側（７２）とに複数の凸レンズエレメント（６１，６２）を有しており、しかも、個別光源（６０）に、それぞれ出射側に設けられた凸レンズエレメント（６２）に対応する、入射側に設けられた凸レンズエレメント（６１）が対応配置されていることを特徴とする、ディスプレイ装置。
【請求項２】
ライトガイド（７，５７）から出射する光の放射角度が、光源（１）から送られた光の放射角度と同じであるか、又は該放射角度よりも小さい、請求項１記載のディスプレイ装置。
【請求項３】
個別光源（１０，６０）がマトリックス形（２６，７３）で配置されている、請求項１又は２記載のディスプレイ装置。
【請求項４】
個別光源（１０，６０）がＬＥＤである、請求項１から３までのいずれか１項記載のディスプレイ装置。
【請求項５】
個別光源（１０，６０）が、プリント配線板（９，５９）に配置されており且つ該プリント配線板と電気的に接触接続されている、請求項１から４までのいずれか１項記載のディスプレイ装置。
【請求項６】
プリント配線板（９，５９）が高い熱伝導率を有している、請求項５記載のディスプレイ装置。
【請求項７】
光源（１）が、個別光源（１０）から熱を導出するための冷却部材（８，５８）を有している、請求項１から６までのいずれか１項記載のディスプレイ装置。
【請求項８】
光源（１）が、ライトガイド（７，５７）に面した出射側（２７）に複数の凸レンズ（１４，６３，７４）を有しており、該凸レンズ（１４，６３，７４）が、それぞれ一方では個別光源（１０，６０）に対応しており且つ他方ではライトガイド（５７）の入射側（７１）に設けられた個別ライトガイド区分（１２）又は凸レンズエレメント（６１）に対応している、請求項１から７までのいずれか１項記載のディスプレイ装置。
【請求項９】
凸レンズ（１４，６３）が、単一の凸レンズ構成部材（１１，６４）を形成するように互いに結合されている、請求項８記載のディスプレイ装置。
【請求項１０】
凸レンズ（３０，７４）が、単一の構成部材を形成するように個別光源（１０，６０）に結合されている、請求項８又は９記載のディスプレイ装置。
【請求項１１】
ディスプレイ（２）が透過可能なＬＣＤを有している、請求項１から１０までのいずれか１項記載のディスプレイ装置。
【請求項１２】
ライトガイド（７，５７）が、光をガイドする透明なプラスチックから成っている、請求項１から１１までのいずれか１項記載のディスプレイ装置。
【請求項１３】
前記プラスチックがＰＭＭＡである、請求項１２記載のディスプレイ装置。
【請求項１４】
個別ライトガイド区分（１２）が、ほぼ一定の横断面（２８，２８'）を有するフィンガとして形成されている、請求項１から１３までのいずれか１項記載のディスプレイ装置。
【請求項１５】
個別ライトガイド区分（１２）が、光源に面した入射側（２２）に凸レンズ（１７）を有している、請求項１から１４までのいずれか１項記載のディスプレイ装置。
【請求項１６】
ライトガイド（７）が、ディスプレイ（２）に面した出射側（２５）で全体的に凸面状に湾曲されている、請求項１から１５までのいずれか１項記載のディスプレイ装置。
【請求項１７】
ライトガイド（７）が、ディスプレイに面した出射側に複数の凸レンズエレメント（１８）を有しており、これらの凸レンズエレメント（１８）が、それぞれ個別ライトガイド区分（１２）に対応配置されている、請求項１から１５までのいずれか１項記載のディスプレイ装置。
【請求項１８】
出射側（７２）に設けられた第１の凸レンズエレメント（６２'）と、この第１の凸レンズエレメントに対応する、入射側（７１）に設けられた第１の凸レンズエレメント（６１'）との間の第１の中心結合線（６８）並びに出射側（７２）に設けられた第２の凸レンズエレメント（６２"）と、この第２の凸レンズエレメントに対応する、入射側（７１）に設けられた第２の凸レンズエレメント（６１"）との間の第２の中心結合線（６９）が、互いに所定の角度（α）で配置されている、請求項１から１３までのいずれか１項記載のディスプレイ装置。
【請求項１９】
第１の結合線（６８）と第２の結合線（６９）との間に配置されたライトガイド（５７）の空間領域（６７）から、間隙を形成するように材料が除去されている、請求項１８記載のディスプレイ装置。
【請求項２０】
自動車に設けられるヘッドアップディスプレイ（１６）が含まれている、請求項１から１９までのいずれか１項記載のディスプレイ装置。
【発明の詳細な説明】
【技術分野】
【０００１】
本発明は、特に自動車に設けられたディスプレイ装置であって、光源によって照明可能なディスプレイと、該ディスプレイと光源との間に配置されたライトガイドとが設けられており、光源が複数の個別光源を有しており、これらの個別光源の光を放射する総面積が、ディスプレイの面積よりも大きい形式のものに関する。
【０００２】
このような形式のディスプレイ装置は公知であり、例えば自動車内で計器照明用に使用される。例えばハロゲンランプ又は発光体ランプ等の明るい個別光源によって照明可能なディスプレイと比較して、当該の装置はより少ない電力消費量及び減少された損失熱放出量を有することができる。
【０００３】
交通安全の理由から、自動車では必然的に、周辺明度が高くても読み取りを可能にする明度を個々の表示計器が有しているということが必要とされる。このことは、特に例えばドイツ連邦共和国特許第１９８５２８４２号明細書に記載されたように、画像が自動車のフロントガラスに映される、いわゆるヘッドアップディスプレイでも非常に重要である。ディスプレイ装置が取り付けられている自動車のダッシュボードパネルの領域に常に存在する狭いスペース状況に基づいて、且つ従って一方では大きな組込みスペースを要求し且つ他方では著しい損失熱を放射する明るい光源の不都合な使用に基づいて、単一の光源を、それぞれ比較的低い光強度を有してはいるが、比較的少ない損失熱放射量をも有している複数の光源により代替することが目標とされる。この場合、これらの光源の小型化が制限されているというジオメトリックな周辺条件に基づいて、光源装置が、照明しようとする面積よりも大きな面積を必要とするという問題が生じる。
【０００４】
この問題の公知の解決手段は、光源とディスプレイとの間に、基底面が光源に隣接しており且つディスプレイに向かって先細になる、中実の截頭角錐の形のライトガイドを配置するという点にある。ライトガイドのこの形状に基づいて、光線はライトガイドに入射したときよりも大きな角度でこのライトガイドから出射する。このことは、高い照明強度を保証する、光の狭い出射角度に対する要求に反するものである。また、不都合にもライトガイドの側面における出射に基づく光損失もある。それというのも、光線は反射する度に垂直に近い比較的大きな角度で表面にぶつかり、これにより全反射は行われないからである。
【０００５】
従って、本発明の課題は、冒頭で述べた形式のディスプレイ装置を改良して、複数の個別光源から放射された光をできるだけ損失無しでディスプレイの照明用に提供するように構成することである。
【０００６】
この課題は本発明に基づいて、ライトガイドが光源側に、個別光源に対応配置された、ディスプレイ側で１つの共通のライトガイド区分に移行する複数の個別ライトガイド区分を有しているか、又はライトガイドが光源に面した入射側と、ディスプレイに面した出射側とに複数の凸レンズエレメントを有しており、しかも、個別光源に、それぞれ出射側に設けられた凸レンズエレメントに対応する、入射側に設けられた凸レンズエレメントが対応配置されているということによって解決される。これにより、光損失を簡単に概ね防止することができる。第２の解決手段では、ライトガイドの入射側に設けられた凸レンズエレメントと、出射側に設けられた凸レンズエレメントとの間で光が前記レンズエレメントによって集束され、散乱損失を防止しつつガイドされる。更に、本発明によるディスプレイ装置は極めて小さなスペース要求を有しており且つ任意の光源の使用を可能にする。当該装置の出力は非常に高く且つ自動車のダッシュボードパネルへの組込みスペースが狭い場合でも、付加的な冷却装置を必要としない。
【０００７】
発光効率の更なる増大は、本発明によるディスプレイ装置の有利な改良によって得られる。この場合、ライトガイドから出射する光の放射角度は、光源から送られた光の放射角度と同じであるか、又は該放射角度よりも小さい。このようにして、光はライトガイド内での損失を少なくして光源からディスプレイへガイドされるだけでなく、更に同時に強度が高められるように集束される。
【０００８】
個別ライトガイド区分を自由に構成し且つ配置することができることによって、個別光源のあらゆる任意の配置形式が考えられる。特に、ほぼ四角のディスプレイの場合は、個別光源がマトリックス形で配置されていると、特に有利である。これにより、特に短いライトガイド距離が得られ、更に、この短いライトガイド距離では光損失は概ね無くなる。それというのも、光路が付加的な変向を有していないからである。
【０００９】
本発明の別の有利な改良では、個別光源はＬＥＤであり、このことは結果的に照明ユニットの耐用年数の増大と、極僅かな損失熱の発生の両方をもたらす。
【００１０】
個別光源が、有利にはプリント配線板上に配置されており且つこのプリント配線板と電気的に接触接続されていると、本発明によるディスプレイ装置は特に簡単に、とりわけ自動車に使用する場合に生じるような極めて大量の個数でも製作可能である。更に、これにより取付けに手間のかかる電気的な個別接続部材は不要になる。この場合、特に有利なのは、プリント配線板が高い熱伝導率を有していると、周辺温度が高い場合でも光源の過熱の危険を排除することができるということである。
【００１１】
更に別の改良では、特に暖かい周辺環境において、本発明によるディスプレイ装置を組み込むスペースが非常に狭い場合は、光源が、個別光源から熱を導出するための冷却部材を有していると有利である。
【００１２】
本発明の更に別の有利な改良では、光源がライトガイドに面した出射側に複数の凸レンズを有しており、この場合、各凸レンズが、一方では個別光源に且つ他方では個別ライトガイド区分に対応している。これにより、光の集束延いては更に著しい発光効率の最適化が達成される。
【００１３】
有利には、凸レンズが単一の凸レンズ構成部材を形成するように互いに結合されていると、例えば射出成形法での製作も、凸レンズの組込みも特に簡単である。構成の更に著しい簡略化及び構成部材数の減少は、本発明の更に別の有利な改良に基づいて、各凸レンズが、それぞれ単一の構成部材を形成するように個別光源に接続されていると得られる。このことは、例えば凸レンズがそれぞれ個別光源に射出成形法で射出成形されているか、又は例えばエポキシ樹脂による注型等の別の方法で載着されることによって達成することができる。
【００１４】
ディスプレイとしては任意の透過可能なフレームが考えられる。特に、大量生産で廉価に製作可能でもあり且つ高い耐久性を有するコンパクトなディスプレイ装置における可変の情報表示に関しては、ディスプレイが透過可能なＬＣＤを有していると、特に有利である。
【００１５】
本発明の更に別の有利な改良では、ライトガイドが光をガイドする透明なプラスチックから成っていると、特に軽量で廉価な、高い効率を有するライトガイドが得られる。この目的に非常に適した材料は、ＰＭＭＡ（Polymethylmetacrylat) であるということが判った。この材料に基づき、ライトガイドは極めて良好な光学的特性を有している。
【００１６】
本発明の更に別の有利な改良に基づき、個別ライトガイド区分が、ほぼ一定の横断面を有するフィンガとして形成されていると、第１の解決手段において特に損失の少ないライトガイドが得られる。
【００１７】
更に、本発明の更に別の有利な改良に基づき、第１の実施例において個別ライトガイド区分が、光源に面した入射側に凸レンズを有していると、発光効率を更に改善することが可能である。
【００１８】
第１の解決手段におけるライトガイドが、ディスプレイに面した出射側で全体的に凸面状に湾曲されていると、ライトガイドの出射側において、光の集束延いては発光効率も付加的に有利に改善される。
【００１９】
凸面状に湾曲する代わりに、有利にはライトガイドはディスプレイに面した出射側に複数の凸レンズエレメントを有していてよく、この場合、これらの凸レンズエレメントは、それぞれ１ライトガイド区分に対応配置されている。これにより、ライトガイド区分と凸レンズエレメントとを特に良好に合わせることができる。
【００２０】
第２の解決手段では、例えばライトガイドに方向付け部材及び／又は変向部材が設けられており、これらの方向付け部材及び／又は変向部材を用いて光をライトガイドの入射側から出射側へガイドするということが考えられる。これに対して、ライトガイドの出射側に設けられた第１の凸レンズエレメントと、この第１の凸レンズエレメントに対応する、入射側に設けられた第１の凸レンズエレメントとの間の第１の中心結合線、並びに出射側に設けられた第２の凸レンズエレメントと、この第２の凸レンズエレメントに対応する、入射側に設けられた第２の凸レンズエレメントとの間の第２の中心結合線が、互いに所定の角度で配置されている場合は、有利には極めて損失の少ないライトガイドを伴うと同時に僅かな材料しか必要としない、特に軽いライトガイドが設けられている。
【００２１】
本発明の更に別の有利な改良に基づいて、第１の結合線と第２の結合線との間に配置されたライトガイドの空間領域から、間隙を形成するように材料が除去されていると、ライトガイドのための材料コストを更に削減することができ且つ不均一性を生ぜしめる恐れのある材料蓄積が防止される。
【００２２】
当該のディスプレイ装置は、基本的に任意のディスプレイを有していてよい。但し、本発明の更に別の有利な改良に基づいて、ディスプレイ装置が自動車に設けられるヘッドアップディスプレイを有していると、特に有利である。それというのも、この場合、高い発光効率、僅かな組込みスペース及び少ない熱放射量の利点が特に効力を発揮するからである。
【００２３】
以下に、本発明の実施例を図面につき詳しく説明する。
【００２４】
図面では、それぞれ対応するエレメントには同一符号を付してある。
【００２５】
図１には、概略的に示した自動車（図示せず）のディスプレイ装置４０に設けられたヘッドアップディスプレイ１６が示されている。光源１によりライトガイド７，５７を介して照明可能なディスプレイ２によって形成された画像は、書き込まれた光線コース１５に従って変向ミラー３において反射され且つ凹面鏡４を介してフロントガラス５に送られ、そこから画像はバーチャル画像として、アイポジション６によって示された、例えば自動車運転者等の観察者（図示せず）の視点に送られる。
【００２６】
図２ａには、ディスプレイ装置の第１実施例が部分的に詳細に示されている。この場合、ＬＣＤによって形成されたディスプレイ２は、光をガイドする透明なプラスチックから成る射出成形されたライトガイド７を介して、光源１により照明可能であるということが認識され得る。この光源１はプリント配線板９を有しており、このプリント配線板９のライトガイド７に面した前側には若干の個別光源１０が配置されて固定されており且つ電気的に接触接続されている。これらの個別光源１０は複数のＬＥＤによって形成され、個別光源１０の光を放射する総面積は、ディスプレイ２の面積よりも大きい。プリント配線板９の背面には、冷却リブ１９を有する冷却部材８が、光源１０から生ぜしめられる熱を導出するために設けられている。
【００２７】
ライトガイド７は、延在部がほぼ一定の横断面２８，２８'を有するフィンガとして形成された複数の個別ライトガイド区分１２を有しており、この場合、１つの個別ライトガイド区分１２の始端部２０には、それぞれ個別光源１０が対応配置されている。これらの個別光源１０から放射される光をそれぞれ集束させるためには、更に光源１に凸レンズ構成部材１１が設けられており、この凸レンズ構成部材１１は、互いに単一の構成部材を形成するように結合された複数の凸レンズ１４を有している。この場合の配置形式は、凸レンズ１４がそれぞれ個別光源１０の前に配置されており、その結果、個別光源１０からそれぞれ送られた光の、目標に向けて規定された集束が、それぞれ対応配置された凸レンズ１４によって行われるように選択されている。更に、個別ライトガイド区分１２のディスプレイ２に面した側の端部２１は、１つの共通のライトガイド区分１３に移行しているということが認識される。これにより、個別光源１０の光が混じり合って、ライトガイド７の出射側に均一に一様に照明される面が生ぜしめられるということが達成される。
【００２８】
図２ｂには、冷却リブ１９を有する冷却部材８を備えた択一的な光源１が示されている。この光源１の場合も、ＬＥＤとして形成された複数の個別光源１０がプリント配線板９に配置されており且つこのプリント配線板９と電気的に接触接続されている。但し、図２ａに示した光源とは異なり、図２ｂに示した光源１は複数の凸レンズを備えた凸レンズ構成部材を有しているのではなく、各１つの凸レンズ３０がそれぞれ単一の構成部材を形成するように、個別光源１０と接続されている。このためには凸レンズ３０はプラスチックから成っており、例えばそれぞれ個別光源１０に射出成形法で一体に成形されている。
【００２９】
光源の立体的な構成を明らかにするために、図３には断面された斜視図でプリント配線板９と、このプリント配線板９に配置された個別光源１０と、対応配置された、凸レンズ１４を備えた凸レンズ構成部材１１とが示されている。ＬＥＤによって形成された個別光源１０はマトリックス形２６で配置されており、これらの個別光源１０にはそれぞれ凸レンズ構成部材１１の凸レンズ１４が対応配置されている。
【００３０】
図４には、別のライトガイド７が示されている。この場合も、個別ライトガイド区分１２は、延在部がほぼ一定の横断面２８，２８'を有するフィンガとして形成されているということが認識され得る。更に、この実施例では個別ライトガイド区分１２の光源（ここでは図示せず）に面した入射側２２が、様式化して示した各１つの凸レンズ１７を有している。更に、ライトガイド７のディスプレイ（やはり図示せず）に面した出射側２３には複数の凸レンズエレメント１８が設けられており、これらの凸レンズエレメント１８は、それぞれ個別ライトガイド区分１２に対応配置されており且つ共通のライトガイド区分１３に接して位置している。
【００３１】
図５に示した実施例は、ライトガイド７のディスプレイに面した出射側２５に個別の凸レンズエレメントが配置されているのではなく、ライトガイド７自体、つまり、複数の個別ライトガイド区分１２がまとまった１つの共通のライトガイド区分２９が、全体的に凸面状に湾曲されているという点において、図４に示した実施例と異なっている。これに相応して、共通のライトガイド区分２９に配置されたライトガイド７の出射側２５は、樽形に湾曲されている。ライトガイド７の個別ライトガイド区分１２の入射側２４には、様式化して示した複数の凸レンズエレメント１８が設けられている。
【００３２】
図６ａには、ディスプレイ装置の第２実施例の一部が詳細に示されている。この場合、透過可能なＬＣＤによって形成されたディスプレイ２は、光をガイドする透明なプラスチックから成るライトガイド５７を介して、光源１により照明可能である。この光源１はプリント配線板５９を有しており、このプリント配線板５９のライトガイド５７に面した前面には若干の個別光源６０が配置されて固定されており且つ電気的に接触接続されている。これらの個別光源６０はＬＥＤによって形成され且つ当該の個別光源６０の光を放射する総面積は、ディスプレイ２の面積よりも大きい。プリント配線板５９の背面側には、冷却リブ７０を有する冷却部材５８が、光源６０によって生ぜしめられる熱を導出するために設けられている。更に、プリント配線板５９自体は高い熱伝導性を有しており、これにより、熱の導出に一緒に貢献する。
【００３３】
ライトガイド５７は、光源１に面した入射側７１に複数の凸レンズエレメント６１を有しており、この場合、これらの凸レンズエレメント６１は、それぞれ個別光源６０に対応している。各個別光源６０は、光を主として各凸レンズエレメント６１内へ放射し、これらの凸レンズエレメント６１は、個別光源６０によって放射された光を集束させる。この場合の配置形式は、個別光源６０からそれぞれ送られた光の、目標に向けて規定された集束が、それぞれ対応配置された凸レンズ６１によって行われるように、各凸レンズ６１がそれぞれ個別光源６０の前に配置されているように選択されている。ライトガイド５７のディスプレイ２に面した出射側７２には、別の複数の凸レンズエレメント６２が配置されている。ライトガイド５７の入射側７１に設けられた凸レンズエレメント６１には、それぞれライトガイド５７の出射側７２に設けられた凸レンズエレメント６２が対応配置されている。
【００３４】
ライトガイド５７は、その基本形をほぼ楔形で形成されており、このことは、出射側７２に設けられた第１の凸レンズエレメント６２'と、この第１の凸レンズエレメント６２'に対応する、入射側７１に設けられた第１の凸レンズエレメント６１'とを通って延びる第１の結合線６８、並びに出射側７２に設けられた第２の凸レンズエレメント６２"と、この第２の凸レンズエレメント６２"に対応する、入射側７１に設けられた第２の凸レンズエレメント６１"とを通って延びる第２の結合線６９が、互いに鋭角αで配置されていることによって明らかである。第１の結合線６８も第２の結合線６９も、これらの結合線によって断面される凸レンズエレメント６１'，６２'，６１"，６２"の中心に配置されている。
【００３５】
更に、第１の結合線６８と第２の結合線６９との間に配置されたライトガイド５７の空間領域６７からは、間隙を形成するように材料が取り除かれている。この空間領域６７は、光源１からディスプレイ２へ光を案内するためにはほとんど貢献しない。材料が取り除かれたことにより、一方ではライトガイド５７の重量が削減され且つ他方では場合によっては不均一性をもたらす材料蓄積が防止される。
【００３６】
図６ｂには、冷却リブ７０を有する冷却部材５８を備えた択一的な光源１と、ライトガイド５７の一部が示されている。当該の光源１の場合も、ＬＥＤとして形成された複数の個別光源６０がプリント配線板５９に配置されており且つこのプリント配線板５９と電気的に接触接続されている。図６ａに示した光源とは異なり、図６ｂに示した光源１の個別光源６０はそれぞれ凸レンズ７４を有しており、この場合、各個別光源６０は、それぞれ単一の構成部材を形成するように、対応配置された凸レンズ７４と結合されている。このためには、凸レンズ７４はプラスチックから成っており且つ個別光源６０に、それぞれ射出成形法で一体に射出成形されている。凸レンズ７４は、それぞれ個別光源６０から送られた光の、目標に向けて規定された集束のために役立つ。更に、各凸レンズ７４は、それぞれライトガイド５７の入射側７１に設けられた凸レンズエレメント６１に対応しており、この場合、凸レンズ７４と凸レンズエレメント６１とは、それぞれ向かい合って配置されている。
【００３７】
別の光源の立体的な構成を明らかにするためには、図７に断面された斜視図でプリント配線板５９が、このプリント配線板５９に配置された個別光源６０と、対応配置された、凸レンズ６３を備えた凸レンズ構成部材６４と一緒に示されている。ＬＥＤによって形成された個別光源６０はマトリックス形７３で配置されており、これらの個別光源６０には凸レンズ構成部材６４の凸レンズ６３がそれぞれ対応配置されている。この場合の配置形式は、凸レンズ６３がそれぞれ個別光源６０の前に配置されており、これにより、各個別光源６０から送られた光の、目標に向けて規定された集束が、それぞれ対応配置された凸レンズ６３によって行われるように選択されている。
【図面の簡単な説明】
【００３８】
【図１】自動車に設けられたディスプレイ装置のヘッドアップディスプレイの原理図である。
【００３９】
【図２ａ】ディスプレイ装置を部分的に断面して側面から見た図である。
【００４０】
【図２ｂ】図２ａに示したディスプレイ装置の択一的な光源を示した図である。
【００４１】
【図３】図２ａに示したディスプレイ装置を断面して斜視図で示した図である。
【００４２】
【図４】別のディスプレイ装置のライトガイドを示した図である。
【００４３】
【図５】更に別のディスプレイ装置のライトガイドを示した図である。
【００４４】
【図６ａ】ディスプレイ装置の第２実施例を部分的に断面して側面から見た図である。
【００４５】
【図６ｂ】図６ａに示したディスプレイ装置の択一的な光源を示した図である。
【００４６】
【図７】光源を断面して斜視図で詳細に示した図である。
【符号の説明】
【００４７】
１  光源、  ２  ディスプレイ、  ３  変向ミラー、  ４  凹面鏡、  ５  フロントガラス、  ６  アイポジション、  ７，５７  ライトガイド、  ８，５８  冷却部材、  ９，５９  プリント配線板、  １０，６０  個別光源、  １１  凸レンズ構成部材、  １２  個別ライトガイド区分、  １３，２９  ライトガイド区分、  １４，１７，３０，６３，７４  凸レンズ、  １５  光線の進行、  １６  ヘッドアップディスプレイ、  １８，６１，６１'，６１"，６２，６２'，６２"  凸レンズエレメント、  １９，７０  冷却リブ、  ２１  端部、  ２２，２４，７１  入射側、  ２５，７２  出射側、  ２６，７３  マトリックス形、  ２８，２８'  横断面、  ４０  ディスプレイ装置、  ６７  空間領域、  ６８，６９  結合線
【国際公開パンフレット】
2005505796.tif 000003
2005505796.tif 000004
2005505796.tif 000005
2005505796.tif 000006
2005505796.tif 000007
2005505796.tif 000008
2005505796.tif 000009
2005505796.tif 000010
2005505796.tif 000011
2005505796.tif 000012
2005505796.tif 000013
2005505796.tif 000014
2005505796.tif 000015
2005505796.tif 000016
2005505796.tif 000017
2005505796.tif 000018
2005505796.tif 000019
2005505796.tif 000020
2005505796.tif 000021
2005505796.tif 000022
2005505796.tif 000023
2005505796.tif 000024
2005505796.tif 000025
2005505796.tif 000026
2005505796.tif 000027
2005505796.tif 000028
2005505796.tif 000029
【国際調査報告】
2005505796.tif 000030
2005505796.tif 000031
2005505796.tif 000032
2005505796.tif 000033
2005505796.tif 000034
2005505796.tif 000035